(57)【要約】【課題】カメラボディの薄型化はもちろん、レンズ鏡胴自体の薄型化も実現するレンズ鏡胴およびカメラを提供すること。【解決手段】レンズ鏡胴１１０に内蔵された各レンズ群１１６，１１７を構成する２枚のレンズの間にバネ部材１１８，１１９をそれぞれ設ける。レンズ鏡胴１１０が繰出状態にあるときにはバネ部材１１８，１１９によるバネ付勢により２枚のレンズ１１６ａ，１１６ｂ、１１７ａ，１１７ｂの間隔をそれぞれ所定の間隔に保つとともに、レンズ鏡胴１１０が沈胴状態にあるときにはそれらのバネ部材１１８，１１９が縮むように押されて所定の間隔よりも相互に近づいた状態でカメラボディ内に収納される。【選択図】    図２
2004163810.tif 000002
【特許請求の範囲】
【請求項１】
被写体光を捉えることにより撮影を行なうカメラにおける、撮影レンズが内蔵された、沈胴繰出し自在なレンズ鏡胴において、
前記撮影レンズを構成する、相互に隣接した２枚のレンズと、該２枚のレンズを相互に反発させるバネ部材とを備え、
前記２枚のレンズは、このレンズ鏡胴が繰出状態にあるときに前記バネ部材によるバネ付勢により所定の間隔を保つとともに、このレンズ鏡胴が沈胴状態にあるときには前記バネ部材が縮むように押されて該所定の間隔よりも相互に近づいた状態で収納されるものであることを特徴とするレンズ鏡胴。
【請求項２】
前記撮影レンズを構成する、相互に隣接した２枚のレンズを含む第１レンズ群および相互に隣接した２枚のレンズを含む第２レンズ群と、
前記第１レンズ群を構成する前記２枚のレンズを相互に反発させる第１バネ部材と、
前記第２レンズ群を構成する前記２枚のレンズを相互に反発させる第２バネ部材とを備え、
前記第１レンズ群を構成する前記２枚のレンズおよび前記第２レンズ群を構成する前記２枚のレンズは、このレンズ鏡胴が繰出状態にあるときに、前記第１バネ部材および前記第２バネ部材によるバネ付勢により各所定の間隔を保つとともに、このレンズ鏡胴が沈胴状態にあるときに、前記第１レンズ群および前記第２レンズ群が前記第１バネ部材および前記第２バネ部材いずれもが縮むように相互に押されて前記各所定の間隔よりも相互に近づいて収納されるものであることを特徴とする請求項１記載のレンズ鏡胴。
【請求項３】
撮影レンズが内蔵された、沈胴繰出し自在なレンズ鏡胴を備え、該レンズ鏡胴が繰出状態にあるときの該撮影レンズを経由して入射した被写体光を捉えることにより撮影を行なうカメラにおいて、
前記レンズ鏡胴は、前記撮影レンズを構成する、相互に隣接した２枚のレンズと、該２枚のレンズを相互に反発させるバネ部材とを備え、
前記２枚のレンズは、前記レンズ鏡胴が繰出状態にあるときに前記バネ部材によるバネ付勢により所定の間隔を保つとともに、前記レンズ鏡胴が沈胴状態にあるときには前記バネ部材が縮むように押されて該所定の間隔よりも相互に近づいた状態で収納されるものであることを特徴とするカメラ。
【発明の詳細な説明】
【０００１】
【発明の属する技術分野】
本発明は、撮影レンズが内蔵された、沈胴繰出し自在なレンズ鏡胴を備え、そのレンズ鏡胴が繰出状態にあるときの撮影レンズを経由して入射した被写体光を捉えることにより撮影を行なうカメラ、および撮影レンズが内蔵されたレンズ鏡胴に関する。
【０００２】
【従来の技術】
使用時にはカメラボディからレンズ鏡胴が繰出されて、不使用時にはカメラボディ内にレンズ鏡胴が沈胴されるカメラが持ち運びに便利なカメラとして知られている。こういったカメラではレンズ鏡胴が沈胴されたときにそのレンズ鏡胴がカメラボディ内に収納される程度の厚みが必要とされる。しかし近年ではカメラボディの薄型化に拍車がかかり、ポケットにも収納することができるようなカメラのニーズが伸びてきている。このようなニーズに応えてカメラボディのさらなる薄型化を図るためレンズ鏡胴の沈胴機構にも種々の工夫が為されている。
【０００３】
このように携帯性を重視したカメラにおいては、レンズ鏡胴が繰出された状態のときのレンズ鏡胴の長さよりも短縮された長さでカメラボディ内に収容されるものが多く、その多くはレンズ鏡胴に内蔵されたレンズ群相互の間隔が狭められてレンズ鏡胴がカメラボディ内に収納される（たとえば特許文献１参照）。
【０００４】
また、カメラ本体に装着されて使用される着脱自在な沈胴式レンズ鏡胴といったものもある（たとえば特許文献２参照）。
【０００５】
この特許文献２の沈胴式レンズ鏡胴は、主レンズ鏡胴内に副レンズ鏡胴を備えており、主レンズ鏡胴に対してその副レンズ鏡胴が沈胴繰出し自在になっている。この副レンズ鏡胴には複数のレンズ群が内蔵されており、それらのレンズ群のうち、いくつかのレンズ群同士の間隔が狭められて副レンズ鏡胴が主レンズ鏡胴内に沈胴される。一方、その副レンズ鏡胴が主レンズ鏡胴から繰出されたときには狭められていたレンズ群同士の間隔が所定の間隔まで拡げられ、その副レンズ鏡胴内のレンズ群同士の相互の間隔が所定の間隔に連結機構によって保持される。
【０００６】
いずれの特許文献においても、レンズ群相互の間隔を狭めるといった方法を用いてレンズ鏡胴を沈胴させている。
【０００７】
【特許文献１】
特開平９−２１１５１５号公報
【特許文献２】
特開平１１−３８３０２号公報
【０００８】
【発明が解決しようとする課題】
しかし、レンズ鏡胴が沈胴したときに、そのレンズ鏡胴に内蔵された撮影光学系を構成する複数のレンズ群の相互の間隔は狭められはするものの、各レンズ群を構成する複数のレンズそれぞれの配置はそのままにして繰出・沈胴が行なわれるため、どうしてもそのレンズ群を構成する複数のレンズの相互の間隔分だけはカメラボディに厚みを持たせなければならない。
【０００９】
また、各レンズ群を複数の移動筒に分けて配設してそれらの移動筒の繰出し方向の長さを短くしてそれら移動筒を重ねて収納することによってカメラボディの薄型化を図ったとしても、やはりレンズ群を構成する複数のレンズの相互の間隔分だけはカメラボディに厚みを持たせなければならない。
【００１０】
本発明は、上記事情に鑑み、薄型化を実現したレンズ鏡胴およびカメラを提供することを目的とする。
【００１１】
【課題を解決するための手段】
上記目的を達成する本発明のレンズ鏡胴は、被写体光を捉えることにより撮影を行なうカメラにおける、撮影レンズが内蔵された、沈胴繰出し自在なレンズ鏡胴において、
上記撮影レンズを構成する、相互に隣接した２枚のレンズと、その２枚のレンズを相互に反発させるバネ部材とを備え、
上記２枚のレンズは、このレンズ鏡胴が繰出状態にあるときに上記バネ部材によるバネ付勢により所定の間隔を保つとともに、このレンズ鏡胴が沈胴状態にあるときには上記バネ部材が縮むように押されてその所定の間隔よりも相互に近づいた状態で収納されるものであることを特徴とする。
【００１２】
上記本発明のレンズ鏡胴によれば、このレンズ鏡胴を沈胴させる力を利用して上記バネ部材を押し縮めることによって上記２枚のレンズを上記所定の間隔よりも相互に近づけた状態にすることができ、レンズ鏡胴を繰出すときにはその押し縮められたバネ部材の付勢力を利用して上記２枚のレンズの間隔を上記所定の間隔に保つことができる。その結果、レンズ鏡胴の薄型化を図ることができるとともに、そのレンズ鏡胴がカメラボディ内に沈胴される場合にはカメラボディの薄型化も図られる。
【００１３】
ここで、上記撮影レンズを構成する、相互に隣接した２枚のレンズを含む第１レンズ群および相互に隣接した２枚のレンズを含む第２レンズ群と、
上記第１レンズ群を構成する上記２枚のレンズを相互に反発させる第１バネ部材と、
上記第２レンズ群を構成する上記２枚のレンズを相互に反発させる第２バネ部材とを備え、
上記第１レンズ群を構成する上記２枚のレンズおよび上記第２レンズ群を構成する上記２枚のレンズは、このレンズ鏡胴が繰出状態にあるときに、上記第１バネ部材および上記第２バネ部材によるバネ付勢により各所定の間隔を保つとともに、このレンズ鏡胴が沈胴状態にあるときに、上記第１レンズ群および上記第２レンズ群が上記第１バネ部材および上記第２バネ部材いずれもが縮むように相互に押されて上記各所定の間隔よりも相互に近づいて収納されるものであることが好ましい。
【００１４】
このように沈胴状態にあるときに、その第１レンズ群および第２レンズ群の中の、隣接する２枚のレンズの間隔をバネ部材によって縮めることで、レンズ群の中の、隣接する２枚のレンズの間隔も狭められるので、第１のレンズ群と第２のレンズ群といった２つのレンズ群を備えたものであっても、それらのレンズ群が内蔵されるレンズ鏡胴の薄型化とともにカメラボディの薄型化を図ることができる。
【００１５】
ここで上記２枚のレンズは同一のレンズ群を構成する２枚のレンズであっても良く、相互に隣接した二つのレンズ群を構成する２枚のレンズであっても良い。
【００１６】
また上記本発明のレンズ鏡胴をカメラに適用した場合、
そのカメラは撮影レンズが内蔵された、沈胴繰出し自在なレンズ鏡胴を備え、そのレンズ鏡胴が繰出状態にあるときのその撮影レンズを経由して入射した被写体光を捉えることにより撮影を行なうカメラにおいて、
上記レンズ鏡胴は、上記撮影レンズを構成する、相互に隣接した２枚のレンズと、その２枚のレンズを相互に反発させるバネ部材とを備え、
上記２枚のレンズは、上記レンズ鏡胴が繰出状態にあるときに上記バネ部材によるバネ付勢により所定の間隔を保つとともに、上記レンズ鏡胴が沈胴状態にあるときには上記バネ部材が縮むように押されてその所定の間隔よりも相互に近づいた状態で収納されるものであることを特徴とする。
【００１７】
上記本発明のカメラによれば、上記レンズ鏡胴が沈胴状態にあるときには上記バネ部材が縮むように押されてその所定の間隔よりも相互に近づいた状態でカメラボディ内に収納されるものであるので、いままでに比べて薄いカメラボディであってもそのカメラボディの中にレンズ鏡胴が収納される。
【００１８】
【発明の実施の形態】
以下、本発明の実施形態について説明する。
【００１９】
図１は本発明のレンズ鏡胴が配備されたカメラの外観を示す図である。
【００２０】
図１（ａ）には、レンズ鏡胴が沈胴されてカメラボディ内に収納された状態のカメラが示されている。この図１（ａ）に示すカメラ１００ではレンズ鏡胴がカメラボディ１００ａ内に収納されると、その収納されたレンズ鏡胴に内蔵された撮影光学系に光が侵入しないようにカバー１０１がかけられる。
【００２１】
カメラボディ１００ａの上部にはレリーズ釦１０２と電源スイッチ１０３とが配備されており、図１（ａ）では電源スイッチ１０３がオフ側に倒されている。
【００２２】
またカメラボディの正面上方には、フレーミングを行なうためのファインダ１０４が設けられており、そのファインダ１０４の横には閃光発光窓１０５が設けられている。
【００２３】
図１（ａ）に示した電源スイッチ１０３がオフ側からオン側に切り替えられると、図１（ｂ）に示すようにレンズ鏡胴１１０が繰出される。このときにはカメラボディ側に収納されていたレンズ保持枠１１４がカメラボディから繰出される。
【００２４】
図２（ａ）はレンズ鏡胴１１０が繰出されたときのバネ部材の作用を示す図で、図２（ｂ）はレンズ鏡胴１１０が沈胴したときのバネ部材の作用を示す図である。
【００２５】
図１（ｂ）に示すレンズ鏡胴の繰出状態では図２（ａ）に示してある固定枠１１２からレンズ保持枠１１４が繰出されて撮影レンズがそれぞれの位置に配置されるが、図２（ａ）にはレンズ保持枠１１４がレンズ鏡胴として繰り出されるとともに所定の位置それぞれに配置される各レンズの配置がバネ部材によってどのように定められるかが示されている。
【００２６】
また図１（ｂ）に示した沈胴状態では図２（ｂ）に示した固定枠１１２の内側に第１レンズ群１１６と第２レンズ群１１７とが収納されてさらにバネ部材によって各レンズ群を構成する２枚のレンズの間隔が狭められて各レンズが収納された状態が示されている。
【００２７】
まず、簡単にレンズ鏡胴内部に配設された各部材の動きを図２（ａ）を参照して説明する。
【００２８】
図２（ａ）に示すようにレンズ鏡胴１１０の外周部には駆動筒１１１が設けられており、その駆動筒１１１の端部にはギア部１１１ａが設けられている。このギア部１１１ａに不図示の駆動部側から回転力が与えられると、この駆動筒１１１が回転する。
【００２９】
またその駆動筒１１１の内側には固定枠１１２が設けられており、この固定枠１１２はカメラボディ側に一体的に形成されている。その固定枠１１２はカメラボディ側から前方に向けて延びており、その固定枠１１２の後方には撮影レンズによって像が結ばれる固体撮像素子１２０を配設するためのマウント部１１２ｂが設けられている。またその固定枠１１２には直進溝１１２ａが設けられているので、図２にはその直進溝１１２ａの部分が分かるように斜線を施して示してある。また、駆動筒１１１の内周面側には、その直進溝１１２ａに交叉するようにしてカム溝１１１ｂ，１１１ｃが３組設けられており、それらのカム溝１１１ｂ，１１１ｃに固定枠１１２の内側に配設されるレンズ保持枠が有するカムピン１１４１ａ，１１５１ａの３組が固定枠の直進溝１１２ａを貫通して係合する。ここではその３組あるカム溝のうち、１組を図示して説明する。後の２組についても動作は同様である。
【００３０】
図２（ａ）に示すようにレンズ保持枠１１４，１１５それぞれには相互に隣接した２枚のレンズ１１６ａ、１１６ｂ、１１７ａ，１１７ｂがそれぞれ保持されており、これらのレンズによって撮影光学系が構成されている。以降の説明においてはレンズ鏡胴１１０の被写体側に位置するレンズ保持枠１１４側を第１のレンズ保持枠と記載し、その第１のレンズ保持枠１１４によって保持される２枚のレンズ１１６ａ，１１６ｂによって構成されるレンズ群１１６を第１群レンズと記載する。またカメラ本体側に位置するレンズ保持枠１１５を第２のレンズ保持枠と記載し、その第２のレンズ保持枠１１５によって保持される２枚のレンズ１１７ａ，１１７ｂで構成されるレンズ群１１７を第２群レンズとそれぞれ記載する。
【００３１】
なお、図２（ａ）の右側には第１レンズ保持枠１１４と第２レンズ保持枠１１５の移動距離に差を持たせるために互いに異なる傾きを持たせて形成される二つのカム溝が示されている。この異なる傾きを持ったカム溝１１１ｂ，１１１ｃそれぞれは、第１群レンズ１１６側に第２群レンズ側よりも大きな移動距離を持たせて、第２群レンズ１１７の方よりも第１群レンズ１１６の方をカメラボディ側により近づけることことを可能にするために設けられている。ここでは、それらの異なる傾きを持ったカム溝１１１ｂ，１１１ｃに第１群レンズ、第２群レンズを保持する第１および第２のレンズ保持枠１１４，１１５それぞれが備えるカムピン１１４１ａ，１１５１ａがそれぞれ係合している。ここではいままでよりも第１のレンズ保持枠１１４側に大きな移動距離を持たせてあるので、その第１のレンズ保持枠側を第２のレンズ保持枠１１５側に深く係わらせることによりバネ部材を収縮させることが可能な構成になっている。
【００３２】
第１群レンズ１１６、第２群レンズ１１７とも保持機構は同様なので、第１のレンズ群１１６側を主として取り上げて構成を詳細に説明する。また第１のレンズ群１１５を保持する第１のレンズ保持枠１１４、第２のレンズ群１１７を保持する第２のレンズ保持枠１１５にそれぞれ設けられているバネ部材を区別するため、以降の説明においては第１の保持部材１１４側に配設されたバネ部材１１８を第１のバネ部材と記載し、第２のレンズ保持枠１１５側に設けられたバネ部材１１９を第２のバネ部材と記載する。
【００３３】
駆動筒１１１が回転してレンズ保持部材１１４、１１５のカムピン１１４１ａ，１１５１ａそれぞれがカム溝１１１ｂ，１１１ｃに沿ってそれぞれ動くとレンズ保持枠１１４，１１５が直進溝に沿ってそれぞれ動く。
【００３４】
この第１のレンズ群１１６が保持される第１のレンズ保持枠１１４にはカムピン１１４１ａを有する固定レンズ枠１１４ａとその固定レンズ枠１１４ａにスライド自在に係合された移動レンズ枠１１４ｂが設けられている。図２（ａ）に示す如く固定レンズ枠１１４ａ側には一枚のレンズ１１６ａが保持され、移動レンズ枠１１４ｂ側にも一枚のレンズ１１６ｂが保持されており、この固定レンズ枠１１４ａと移動レンズ枠１１４ｂとの間にバネ部材１１８が配設されている。
【００３５】
このスライド自在に係合された移動レンズ枠１１４ｂは、バネ部材１１８の付勢力によってスライドすることが自在な構造になっており、たとえばその構造が固定枠１１４ａのスリットに移動レンズ枠１１４ｂの一部が係合して、その係合部がスリット内をスライドするようなものであれば、バネ部材のバネ付勢力によって移動レンズ枠１１４ｂが固定枠１１４ａのスリットの一方の端部側に押されて、その一方の端部側に設けられているストッパで移動レンズ枠の勢いが止められて保持される。そうすると固定枠に保持されたレンズ１１６ａと移動レンズ枠１１４ｂに保持されたレンズ１１６ｂとの間に所定の間隔が持たせることができる。
【００３６】
このようにカム機構とともに第１のバネ部材１１８と固定レンズ枠１１４ａとによって第１レンズ群１１６を構成するレンズ１１６ａ，１１６ｂそれぞれの位置が定められ、同様に第２のバネ部材１１９と固定レンズ枠１１５ａとによって第２レンズ群１１７を構成するレンズ１１７ａ，１１７ｂそれぞれの位置が定められたら、それらのレンズによって被写体像を固体撮像素子に結像させる。
【００３７】
このようにして所定の位置にレンズが配置されてレリーズ操作が行われると、レンズ鏡胴に内蔵されたレンズそれぞれを経由して入射した被写体光が固体撮像素子１２０の撮影面上にきちんと結像される。
【００３８】
これに対し、レンズ鏡胴１１０が沈胴したときには、第１のバネ部材１１８、第２のバネ部材１１９が縮められた状態で第１群レンズを構成する２枚のレンズ１１６ａ，第２群レンズを構成する２枚のレンズ１１６ｂ、１１７ａ，１１７ｂがそれぞれ収納される。
【００３９】
図２（ｂ）はレンズ鏡胴の沈胴状態を示す図である。
【００４０】
ここでは図２（ｂ）に示すように第１のレンズ保持枠１１４の固定レンズ枠１１４ａ側を被写体側に配設して第２のレンズ保持枠１１５の固定レンズ枠１１５ａ側をカメラ本体側に配設して双方の固定レンズ枠１１４ａ，１１５ａによって移動レンズ枠１１４ｂ，１１５ｂそれぞれを挟み込むように抑えて固定レンズ枠１１４ａ，１１５ａに保持されたレンズ１１６ａ，１１７ａと移動レンズ枠１１４ｂ，１１５ｂに保持されたレンズ１１６ｂ，１１７ｂの相互の間隔をバネ部材の収縮によってそれぞれ近づけるようにしている。このようにするとレンズ鏡胴１１０が繰出されたときに第１の保持部材１１４の固定レンズ枠１１４ａと移動レンズ枠１１４ｂの間隔、第２の保持部材１１５の固定レンズ枠１１５ａと移動レンズ枠１１５ｂの間隔を所定の間隔に保つように働くバネ部材１１８，１１９それぞれに反発力が蓄えられる。
【００４１】
図２（ｂ）に示すように沈胴するときには第１のレンズ保持枠１１４が繰出されるときとは駆動筒１１１が逆回転することで、第１のレンズ保持枠１１４並びに第２のレンズ保持枠１１５が固定枠１１２内に収納される。このときには双方のレンズ保持枠が限りなく近づくようにカム機構によって収納されるとともに、そのカム機構の動きにしたがって第１のバネ部材１１８および第２のバネ部材が縮められて固定枠内に収納される。このときには両側にある固定レンズ枠の位置が双方ともカム溝により規制されているので双方のレンズ保持枠の固定レンズ枠によって双方の移動レンズ枠が押されることになり、第１のバネ部材１１８および第２のバネ部材１１９のいずれもが相互に押されて縮められて、第１レンズ群１１６を構成する、相互に隣接したレンズ１１６ａ，１１６ｂ相互の間隔および第２レンズ群１１７を構成する、相互に隣接したレンズ１１７ａ，１１７ｂ相互の間隔が所定の間隔よりも近づいた状態でカメラボディ内にコンパクトに収納される。バネ部材を設けたことで、第１のレンズ保持枠と第２のレンズ保持枠とを限りなく近づけることができるとともに、各レンズ群の相互に隣接したレンズの間隔も近づけることができるので、いままでに比べて固定枠の長さが短くなり、カメラボディをコンパクトに収めることができる。
【００４２】
このようにして沈胴しているレンズ鏡胴１１０が繰出されると、その縮んだ状態のバネ部材１１８に蓄えられた反発力がレンズ保持枠の移動により開放され始めて付勢力となって移動レンズ枠１１４ｂに作用し、移動レンズ枠１１４ｂとともにその移動レンズ枠に保持されたレンズ１１６ｂが図の右方向に移動して図２（ａ）の状態になる。
【００４３】
なお、レンズ鏡胴１１０が沈胴状態から繰出されるときには第１のバネ部材１１８のバネ付勢力によって移動レンズ枠１１４ｂの位置が固定レンズ枠の端部のストッパ１１４２ａ側に押されたままスライドする構成になっており、その移動レンズ枠のスライドが完了したら第１群レンズ１１６を構成する２枚レンズ１１６ａ，１１６ｂそれぞれが所定の間隔を隔てて保持される。第２群レンズ側も同様の構成であるが、固定レンズ枠１１７と移動レンズ枠１１７ｂの配置が入れ替わっており、第２の保持枠１１５側では移動レンズ枠１１５ｂが固定レンズ枠１１５ａ側をスライドしてそのスライドしている移動レンズ枠１１５ｂの一部が固定レンズ枠１１５ａのストッパ１１５２ａに当接したら、その当接した位置で移動レンズ枠１１５ｂが保持される構成になっている。
【００４４】
レンズ鏡胴が沈胴するときのレンズ保持枠それぞれの動きを図２（ａ）および図２（ｂ）を参照して詳細に説明する。
【００４５】
駆動筒１１１が繰出時とは逆に回転してレンズ保持枠１１４，１１５それぞれがカメラボディ側に移動すると、第１のレンズ保持枠１１４と第２のレンズ保持枠１１５との間隔がカム溝１１１ｂ，１１１ｃそれぞれの傾きの違いによって除々に近づき始める。
【００４６】
さらに駆動筒１１１が回転すると第１のレンズ保持枠１１４の移動レンズ枠１１４ｂと第２のレンズ保持枠１１５の移動レンズ枠１１５ｂとが接触し始める。このときには第１のレンズ保持枠１１４の方が第２のレンズ保持枠１１５に比べて移動距離が大きいので第１のレンズ保持枠１１４の移動レンズ枠１１４ａの端部が、第２のレンズ保持枠１１５の移動レンズ枠１１５ｂの端部の位置に重なるように深く係わり始める。
【００４７】
このときには第１のレンズ保持枠１１４のバネ部材１１８と第２のレンズ保持枠１１５のバネ部材１１９が相互に作用して第１のレンズ保持枠１１４、第２のレンズ保持枠が相互に押され始める。したがって第１のレンズ保持枠１１４と第２のレンズ保持枠１１５の間隔がバネ部材１１８，１１９の収縮する長さも含めて双方の固定レンズ枠１１４ａ側の動きにしたがって狭められるようになる。そして第２のレンズ保持枠１１５のカムピンが収納されるときの所定の位置に到達して第２のレンズ保持枠の固定筒１１５ａが所定の位置に保持されると、第１のレンズ保持枠１１４側はまだ動き続けているのでその第１のレンズ保持枠１１４側が第２のレンズ保持枠１１５側により深く係わり始める。そうすると第１のレンズ保持枠１１４と第２のレンズ保持枠１１５との間隔がバネ部材１１８，１１９のさらなる収縮によってさらに狭められる。そして第１のレンズ保持枠１１４のカムピンが所定の位置に達すると、第１のレンズ保持枠も所定の位置に保持されて、各レンズ群の間隔並びに、第１のレンズ保持枠１１４の固定レンズ枠１１４ａと移動レンズ枠１１４ｂとの間隔および第２のレンズ保持枠１１５の移動レンズ枠１１５ａと固定レンズ枠１１５ｂとの間隔がいずれかのバネ部材１１８，１１９が縮むように相互に押された状態でカメラボディ内に収納される。
【００４８】
図２（ｂ）には、第１群レンズ１１６、第２群レンズ１１７を構成する２枚のレンズ１１６ａ，１１６ｂ、１１７ａ，１１７ｂそれぞれの間隔が、バネ部材１１８，１１９それぞれが相互に押されることによってバネ部材１１８，１１９が縮められて所定の間隔よりも相互に近づいてカメラボディ内に収納された状態が示されている。
【００４９】
以上説明したようにレンズ群の相互の間隔がカム機構によって狭められることに加えて、レンズ群を構成する２枚のレンズの相互の間隔が狭められるとレンズそれぞれの間隔がいままでよりも狭められてカメラボディ内に収納される。
【００５０】
したがって、本実施形態のカメラによれば第１群レンズを構成する２枚のレンズの間隔と第２群レンズを構成する２枚のレンズの間隔も狭めることができ、カム機構をうまく利用して第１レンズ群を保持するレンズ保持枠と第２レンズ群を保持するレンズ保持枠とを固定枠の奥深くまで入れ込むことができるので、固定枠の長さを短くすることができ、カメラボディを薄くすることが可能になる。
【００５１】
また、レンズ鏡胴が繰り出された状態にあっては撮影光学系の中の撮影レンズそれぞれの位置がバネの付勢力とそのバネの付勢力によってスライドする移動レンズ枠の動きを固定レンズ枠のストッパによって止めてその止めた位置に移動レンズ枠が保持されるのでレンズの位置がずれることもなく、いままでどおりレンズ鏡胴内の撮影レンズで支障なく被写体像を固体撮像素子に結像させることができる。
【００５２】
なお本実施形態に示したレンズ鏡胴およびそのレンズ鏡胴が配備されたカメラにおいては第１群レンズ、第２群レンズとも２枚のレンズで構成されるものであったが、本発明はこれに拠らず、各群レンズが２枚以上のレンズを有したものであっても、その中の隣接する２枚のレンズに上記構成を適用すれば、同等の効果が得られる。
【００５３】
また、本実施形態に示したレンズ鏡胴およびそのレンズ鏡胴が配備されたカメラにおいては、第１レンズ群を構成する２枚のレンズの間と第２群を構成する２枚のレンズの間にそれぞれバネ部材を設けているが、第１レンズ群の２枚のレンズのうちの第２レンズ群側にあるレンズと、第２レンズ群の２枚のレンズのうちの第１レンズ群側にあるレンズとの間にさらにバネ部材を設けても良い。そうするとレンズ鏡胴をさらに薄型にすることができ、カメラボディが薄型になっていてもその薄型化が実現されたレンズ鏡胴をカメラボディ内にコンパクトに収納することができる。また、第１レンズ群の２枚のレンズのうちの第２レンズ群側にあるレンズと、第２レンズ群の２枚のレンズのうちの第１レンズ群側にあるレンズとの間にバネ部材を設けるだけでも同様の効果が得られる。
【００５４】
なお本実施形態ではレンズ鏡胴が配備され、そのレンズ鏡胴が沈胴繰出し自在であるカメラの例を挙げたが、本発明はこれに拠らず、レンズ鏡胴自体の薄型化が図られているので、カメラ用の交換レンズ鏡胴に本発明のレンズ鏡胴を適用しても良い。
【００５５】
【発明の効果】
以上、説明したように、本発明のカメラによれば、カメラボディの薄型化はもちろん、レンズ鏡胴自体の薄型化も実現するレンズ鏡胴およびカメラを提供することができる。
【図面の簡単な説明】
【図１】本発明の実施形態を示すカメラの外観を示す図である。
【図２】図１のカメラのレンズ鏡胴が繰出されたときと、沈胴したときの状態を示す断面図である。
【符号の説明】
１００  カメラ
１１０  レンズ鏡胴
１１１    駆動筒
１１１ａ    ギア部
１１１ｂ  １１１ｃ    カム溝
１１２    固定枠
１１２ａ    直進溝
１１４    第１のレンズ保持枠
１１４ａ  固定レンズ枠
１１４１ａ    カムピン
１１４２ａ    ストッパ
１１４ｂ  移動レンズ枠
１１５    第２のレンズ保持枠
１１５ａ  固定レンズ枠
１１５１ａ    カムピン
１１５２ａ    ストッパ
１１５ｂ  移動レンズ枠
１１６    第１レンズ群
１１６ａ  １１６ｂ  レンズ
１１７    第２レンズ群
１１７ａ  １１７ｂ  レンズ
１１８    第１のバネ部材
１１９    第２のバネ部材
１２０    固定撮像素子
【図１】
2004163810.tif 000003
【図２】
2004163810.tif 000004